(57)【要約】【課題】貫通部に挿通された既設の配管であっても耐震性及び安全性を向上することができる配管支持装置を提供する。【解決手段】配管支持装置１は、貫通部２の開口部に固定される端部支持部材４と、貫通部２内に配置された放射線遮蔽材５と、放射線遮蔽材５を挟んで端部支持部材４の反対側に配置されたストッパ６と、端部支持部材４とストッパ６とを連結する連結部材７と、放射線遮蔽材５とストッパ６との間に配置された中間支持部材８と、を備え、中間支持部材８は、貫通部２の内面と所定の隙間を有する外径を備えた板部材であるとともに、複数に分割された分割片（第一分割片８１〜第三分割片８３）により構成されている。【選択図】図１
2020045959.tif 000002
【特許請求の範囲】
【請求項１】
構造物の貫通部に挿通される配管を支持する配管支持装置であって、
前記貫通部の開口部に固定される端部支持部材と、
前記貫通部内に配置された放射線遮蔽材と、
前記放射線遮蔽材を挟んで前記端部支持部材の反対側に配置されたストッパと、
前記端部支持部材と前記ストッパとを連結する連結部材と、
前記放射線遮蔽材と前記ストッパとの間に配置された中間支持部材と、を備え、
前記中間支持部材は、前記貫通部の内面と所定の隙間を有する外径を備えた板部材であるとともに、複数に分割された分割片により構成されている、
ことを特徴とする配管支持装置。
【請求項２】
前記分割片は、前記配管又は前記連結部材との干渉を回避するための係合溝又は切欠部を備えている、請求項１に記載の配管支持装置。
【請求項３】
前記分割片は、組み合わせたときに前記配管の外周を覆うように構成されている、請求項２に記載の配管支持装置。
【請求項４】
前記配管が前記貫通部内に一列に配置されている場合には、前記分割片は、前記配管の一方の側面から配置される第一分割片と、前記配管の他方の側面から配置される第二分割片と、により構成される、請求項１に記載の配管支持装置。
【請求項５】
前記配管が前記貫通部内に二列に配置されている場合には、前記分割片は、前記配管の第一列の外側から配置される第一分割片と、前記配管の第二列の外側から配置される第二分割片と、前記第一列と前記第二列との間に挿入される第三分割片と、により構成される、請求項１に記載の配管支持装置。
【請求項６】
前記配管が前記第一列と前記第二列との間に配置された中間配管を有する場合に、前記第三分割片は前記中間配管を挟んで更に二分割されている、請求項５に記載の配管支持装置。
【発明の詳細な説明】
【技術分野】
【０００１】
本発明は、配管支持装置に関し、特に、ペネトレーション等の貫通部に挿通される配管を支持する配管支持装置に関する。
【背景技術】
【０００２】
例えば、原子炉格納容器、原子炉建屋等のコンクリート構造物には、計装用ケーブル用配管、流体用配管等の配管を挿通するための貫通部（ペネトレーション）が設けられている。かかる貫通部に配管を敷設する際に、振動、熱膨張、熱収縮等の影響による配管の変動を考慮する必要がある。
【０００３】
例えば、特許文献１には、ペネトレーション内に配置される止金具（７）とペネトレーションの端部に配置される止金具（５）とをラウンドバー（８）で連結し、配管（２）を両方の止金具（５，７）を貫通させることによって支持する構造が開示されている。また、止金具（５）と止金具（７）との間には放射線遮蔽材としての鉛毛（３）が充填されている。
【先行技術文献】
【特許文献】
【０００４】
【特許文献１】実開昭５９−９２２７９号公報
【発明の概要】
【発明が解決しようとする課題】
【０００５】
近年、大地震やシビアアクシデント等の発生に備えて、構造物の設計基準が変更されていることもあり、貫通部（ペネトレーション）における配管の支持構造について、耐震性及び安全性の向上を図る必要がある。この場合、貫通部に配置された配管の両端部を支持するだけでは不十分であり、貫通部に挿通された配管の中間部においても支持構造が必要となる。
【０００６】
しかしながら、上述した特許文献１に開示された配管支持構造は、貫通部内に止金具（７）が配置されているものの、この止金具（７）は放射線遮蔽材を充填させる空間を形成するための金具であり、耐震性及び安全性には何ら寄与するものではない。
【０００７】
また、貫通部に挿通された配管の中間部に配置する支持構造は、既設の配管にも適用することが必要となるところ、原子力発電設備等のプラントに使用されている配管では、既設の配管を安易に取り外すことはできない。したがって、配管を取り外すことなく設置することができる配管支持構造の開発が待たれている。
【０００８】
本発明はかかる問題点に鑑み創案されたものであり、貫通部に挿通された既設の配管であっても耐震性及び安全性を向上することができる配管支持装置を提供することを目的とする。
【課題を解決するための手段】
【０００９】
本発明によれば、構造物の貫通部に挿通される配管を支持する配管支持装置であって、前記貫通部の開口部に固定される端部支持部材と、前記貫通部内に配置された放射線遮蔽材と、前記放射線遮蔽材を挟んで前記端部支持部材の反対側に配置されたストッパと、前記端部支持部材と前記ストッパとを連結する連結部材と、前記放射線遮蔽材と前記ストッパとの間に配置された中間支持部材と、を備え、前記中間支持部材は、前記貫通部の内面と所定の隙間を有する外径を備えた板部材であるとともに、複数に分割された分割片により構成されている、ことを特徴とする配管支持装置が提供される。
【００１０】
前記分割片は、前記配管又は前記連結部材との干渉を回避するための係合溝又は切欠部を備えていてもよい。また、前記分割片は、組み合わせたときに前記配管の外周を覆うように構成されていてもよい。
【００１１】
前記配管が前記貫通部内に一列に配置されている場合には、前記分割片は、前記配管の一方の側面から配置される第一分割片と、前記配管の他方の側面から配置される第二分割片と、により構成されていてもよい。
【００１２】
前記配管が前記貫通部内に二列に配置されている場合には、前記分割片は、前記配管の第一列の外側から配置される第一分割片と、前記配管の第二列の外側から配置される第二分割片と、前記第一列と前記第二列との間に挿入される第三分割片と、により構成されていてもよい。
【００１３】
前記配管が前記第一列と前記第二列との間に配置された中間配管を有する場合に、前記第三分割片は前記中間配管を挟んで更に二分割されていてもよい。
【発明の効果】
【００１４】
上述した本発明に係る配管支持装置によれば、貫通部に挿通された配管の中間部を支持する中間支持部材を放射線遮蔽材とストッパとの間に配置したことにより、既存の配管支持構造を利用しつつ中間支持部材を設置することができ、貫通部の耐震性及び安全性を向上することができる。また、中間支持部材を複数の分割片に構成したことにより、既存の配管や連結部材との干渉を回避しつつ中間支持部材を配置することができる。
【図面の簡単な説明】
【００１５】
【図１】本発明の一実施形態に係る配管支持装置を示す断面図である。
【図２】図１に示した中間支持部材を示す正面図である。
【図３】既存の配管支持装置に中間支持部材を設置する方法を示す断面図であり、（ａ）は初期状態、（ｂ）は設置箇所の開放状態、（ｃ）は中間支持部材の組み込み状態、を示している。
【図４】中間支持部材の変形例を示す正面図であり、（ａ）は第一変形例、（ｂ）は第二変形例、（ｃ）は第三変形例、を示している。
【発明を実施するための形態】
【００１６】
以下、本発明の実施形態について図１〜図４（ｃ）を用いて説明する。ここで、図１は、本発明の一実施形態に係る配管支持装置を示す断面図である。図２は、図１に示した中間支持部材を示す正面図である。なお、図２において、説明の便宜上、貫通部を二点鎖線で図示してある。
【００１７】
本発明の一実施形態に係る配管支持装置１は、図１及び図２に示したように、構造物の貫通部２に挿通される配管３を支持する装置であって、貫通部２の開口部に固定される端部支持部材４と、貫通部２内に配置された放射線遮蔽材５と、放射線遮蔽材５を挟んで端部支持部材４の反対側に配置されたストッパ６と、端部支持部材４とストッパ６とを連結する連結部材７と、放射線遮蔽材５とストッパ６との間に配置された中間支持部材８と、を備え、中間支持部材８は、貫通部２の内面と所定の隙間を有する外径を備えた板部材であるとともに、複数に分割された分割片（第一分割片８１〜第三分割片８３）により構成されている。
【００１８】
貫通部２は、例えば、原子炉格納容器、原子炉建屋等のコンクリート構造物の壁部材９の内外を連通するためのペネトレーションである。貫通部２には、計装用ケーブル用配管、流体用配管等の配管３が挿通される。なお、図１では、説明の便宜上、貫通部２の一方の端部のみを図示し、反対側の端部については図を省略してある。
【００１９】
貫通部２の端部は、図１に示したように、壁部材９から外側に突き出した突出部２１を有している。端部支持部材４は、例えば、貫通部２の開口部に配置される蓋部材により構成される。蓋部材は、配管３及び連結部材７を挿通可能な開口部を備えている。蓋部材は、ボルト等の締結具で貫通部２に固定されてもよいし、突出部２１の外周に配置されるクランプによって固定されてもよい。
【００２０】
なお、上述した端部支持部材４の構成は、単なる一例であり、図示した構成に限定されるものではない。端部支持部材４の構成は、従来から使用されている支持構造を任意に選択して適用することができる。
【００２１】
放射線遮蔽材５は、例えば、貫通部２を通り抜ける放射線を遮蔽する部材である。放射線遮蔽材５は、例えば、鉛板、鉛毛等である。放射線遮蔽材５が鉛板の場合には、鉛板は配管３及び連結部材７を挿通する開口部を備えている。放射線遮蔽材５が鉛毛の場合には、鉛毛は配管３及び連結部材７の外周に充填される。
【００２２】
ストッパ６は、放射線遮蔽材５の位置決めを行う板材である。板材には連結部材７を挿通可能な開口部が形成されている。連結部材７は、例えば、両端がネジ切りされたスタッドボルトである。連結部材７は、端部支持部材４及びストッパ６に挿通され、端部支持部材４及びストッパ６の外側からナットを螺合することによって固定される。また、端部支持部材４と放射線遮蔽材５との間には、放射線遮蔽材５の位置決めを行う筒状のカラー７１を挿入するようにしてもよい。
【００２３】
既設の配管支持装置は、上述した端部支持部材４によって配管３を支持している。ストッパ６は、貫通部２の中間部に配置されているものの放射線遮蔽材５の位置決めをする部品であって、一般に耐震性及び安全性に寄与し得る強度を備えていない。また、一般に、ストッパ６と貫通部２との間の隙間は、耐震性及び安全性を考慮した管理がなされておらず、大きな隙間が空いている。
【００２４】
したがって、端部支持部材４を貫通部２の両端に配置して配管３を支持した場合には、端部支持部材４間の配管３は何ら支持されていない。その結果、大地震やシビアアクシデント等が発生し、配管３に大きな力が作用した場合には、配管３の振動や変動が大きくなってしまうことから、新しい設計基準を満足できない場合がある。
【００２５】
そこで、本実施形態では、端部支持部材４間の配管３を支持する中間支持部材８を配置している。中間支持部材８は、図１に示したように、既設の配管支持装置を利用して、放射線遮蔽材５とストッパ６との間に配置される。
【００２６】
ここで、既設の配管支持装置では配管３が貫通部２に挿通されており、配管３を取り外して中間支持部材８を設置することが困難である。そこで、本実施形態に係る中間支持部材８では、例えば、図２に示したように、複数の分割片に分割されており、配管３の側面からアクセスして配管３の外周に配置できるようにしている。
【００２７】
図２に示した中間支持部材８は、配管３が貫通部２内に二列に配置されている場合であって、分割片は、配管３の第一列３１の外側から配置される第一分割片８１と、配管３の第二列３２の外側から配置される第二分割片８２と、第一列３１と第二列３２との間に挿入される第三分割片８３と、により構成されている。
【００２８】
説明の便宜上、図示したように、配管３は、第一配管３ａ、第二配管３ｂ、第三配管３ｃ、第四配管３ｄ、第五配管３ｅ、第六配管３ｆ、によって構成されているものとする。このとき、図の右側に縦に配列された三本の配管３（第一配管３ａ〜第三配管３ｃ）によって第一列３１が構成され、図の左側に縦に配列された三本の配管３（第四配管３ｄ〜第六配管３ｆ）によって第二列３２が構成される。
【００２９】
そして、第一列３１の右側から配管３に配置される分割片が第一分割片８１であり、第二列３２の左側から配管３に配置される分割片が第二分割片８２である。また、第一列３１と第二列３２との間に下側から挿入される分割片が第三分割片８３である。なお、図示しないが、第三分割片８３は、上側から第一列３１と第二列３２との間に挿入するようにしてもよい。
【００３０】
第一分割片８１は、略弓形形状（円弧とその両端を直線で結んだ形状）の外形を有し、第一配管３ａとの干渉を回避するための係合溝８１ａと、第二配管３ｂとの干渉を回避するための係合溝８１ｂと、連結部材７との干渉を回避するための切欠部８１ｃと、ボルト等の締結具を挿通するための切欠部８１ｄと、を備えている。
【００３１】
第二分割片８２は、第一分割片８１と線対称の形状を有している。具体的には、第二分割片８２は、略弓形形状の外形を有し、第四配管３ｄとの干渉を回避するための係合溝８２ａと、第五配管３ｅとの干渉を回避するための係合溝８２ｂと、連結部材７との干渉を回避するための切欠部８２ｃと、ボルト等の締結具を挿通するための切欠部８２ｄと、を備えている。
【００３２】
第三分割片８３は、略Ｔ字形状の外形を有し、その上端と下端は円弧形状に形成されている。また、第三分割片８３は、第三配管３ｃとの干渉を回避するための係合溝８３ａと、第六配管３ｆとの干渉を回避するための係合溝８３ｂと、第一列３１と第二列３２との間に配置された連結部材７との干渉を回避するための係合溝８３ｃと、他の連結部材７との干渉を回避するための切欠部８３ｄと、ボルト等の締結具を挿通するための切欠部８３ｅと、を備えている。
【００３３】
上述した第一分割片８１〜第三分割片８３によれば、第一配管３ａ及び第二配管３ｂを第一分割片８１の係合溝８１ａ，８１ｂに挿入し、第四配管３ｄ及び第五配管３ｅを第二分割片８２の係合溝８２ａ，８２ｂに挿入し、第三配管３ｃ及び第六配管３ｆを第三分割片８３の係合溝８３ａ，８３ｂに挿入することによって、第一分割片８１の係合溝８１ａ，８１ｂは第三分割片８３によって封止され、第二分割片８２の係合溝８２ａ，８２ｂは第三分割片８３によって封止され、第三分割片８３の係合溝８３ａは第一分割片８１によって封止され、第三分割片８３の係合溝８３ｂは第二分割片８２によって封止される。
【００３４】
したがって、第一分割片８１〜第三分割片８３は、図２に示したように、組み合わせたときに配管３（第一配管３ａ〜第六配管３ｆ）の外周を覆うように構成されている。また、第一分割片８１〜第三分割片８３を組み合わせて形成される中間支持部材８は、略円形状の外形を有する板部材であり、貫通部２の内面と所定の隙間（例えば、数ｍｍ程度の隙間）を有する外径を備えている。このように、中間支持部材８で配管３の外周を覆うとともに、貫通部２との隙間を管理することによって、貫通部２の耐震性及び安全性を向上することができる。
【００３５】
次に、既存の配管支持装置に中間支持部材８を設置する場合について、図３（ａ）〜図３（ｃ）を参照しつつ説明する。ここで、図３は、既存の配管支持装置に中間支持部材を設置する方法を示す断面図であり、（ａ）は初期状態、（ｂ）は設置箇所の開放状態、（ｃ）は中間支持部材の組み込み状態、を示している。なお、図３（ａ）〜図３（ｃ）において、説明の便宜上、壁部材９の図を省略してある。
【００３６】
図３（ａ）に示したように、既存の配管支持装置では中間支持部材８が配置されておらず、配管３は端部支持部材４のみによって支持されている。放射線遮蔽材５とストッパ６との間に中間支持部材８を配置するためには、放射線遮蔽材５とストッパ６との間に空間を形成するとともに、貫通部２の開口部からその空間にアクセスできるようにしなければならない。
【００３７】
そこで、まず、端部支持部材４（蓋部材）を固定している部品を取り外し、端部支持部材４を配管３に沿って外側に移動させる。次に、カラー７１を貫通部２から取り外した後、連結部材７を貫通部２に沿って外側に引き出す。ストッパ６が貫通部２の開口部付近に到達した後、連結部材７の引き出しを停止し、放射線遮蔽材５のみを配管３に沿って外側に移動させる。かかる操作によって、図３（ｂ）に示したように、放射線遮蔽材５とストッパ６との間を開放することができる。
【００３８】
次に、貫通部２の開口部の外側に露出した配管３に、第一分割片８１、第二分割片８２及び第三分割片８３を組み付けてボルト等の締結具で連結し、中間支持部材８を形成する。そして、図３（ｃ）に示したように、配管３に設置した中間支持部材８を貫通部２内に押し込み、ストッパ６に当接させる。
【００３９】
その後、放射線遮蔽材５を配管３に沿って貫通部２内に押し込み、中間支持部材８に当接させる。続いて、放射線遮蔽材５、ストッパ６、中間支持部材８及び連結部材７を貫通部２内に移動させ、所定の位置に到達した後、カラー７１を挿入し、端部支持部材４を移動させて固定することにより、図１に示した状態にすることができる。
【００４０】
上述した本実施形態に係る配管支持装置１によれば、貫通部２に挿通された配管３の中間部を支持する中間支持部材８を放射線遮蔽材５とストッパ６との間に配置したことにより、既存の配管支持構造を利用しつつ中間支持部材８を設置することができる。また、中間支持部材８を複数の分割片（第一分割片８１〜第三分割片８３）に構成したことにより、既存の配管３や連結部材７との干渉を回避しつつ中間支持部材８を配置することができる。
【００４１】
次に、中間支持部材８の変形例について、図４（ａ）〜図４（ｃ）を参照しつつ説明する。ここで、図４は、中間支持部材の変形例を示す正面図であり、（ａ）は第一変形例、（ｂ）は第二変形例、（ｃ）は第三変形例、を示している。なお、上述した実施形態と同じ構成部品については、同一の符号を付して重複した説明を省略する。また、図４（ａ）〜図４（ｃ）において、説明の便宜上、貫通部を二点鎖線で図示してある。
【００４２】
図４（ａ）に示した第一変形例は、配管３が一本の場合を示している。配管３が一本の場合は、配管３が貫通部２内に一列に配置されているとも言い換えることができる。この場合、分割片は、配管３の一方の側面（例えば、図の下側）から配置される第一分割片８４と、配管３の他方の側面（例えば、図の上側）から配置される第二分割片８５と、により構成される。
【００４３】
第一分割片８４は、略半円形状の外形を有し、配管３との干渉を回避するための係合溝８４ａと、連結部材７との干渉を回避するための切欠部８４ｂと、を備えている。第二分割片８５は、略半円形状の外形を有し、連結部材７との干渉を回避するための係合溝８５ａを備えている。切欠部８４ｂには、第一分割片８４と第二分割片８５とを連結するボルト等の締結具が配置される。
【００４４】
かかる構成により、配管３を第一分割片８４の係合溝８４ａに挿入し、連結部材７を第二分割片８５の係合溝８５ａに挿入し、第一分割片８４と第二分割片８５とを連結することによって、係合溝８４ａを第二分割片８５で封止することができる。
【００４５】
したがって、第一分割片８４及び第二分割片８５は、図示したように、組み合わせたときに配管３の外周を覆うように構成されている。また、第一分割片８４及び第二分割片８５を組み合わせて形成される中間支持部材８は、略円形状の外形を有する板部材であり、貫通部２の内面と所定の隙間を有する外径を備えている。このように、中間支持部材８で配管３の外周を覆うとともに、貫通部２との隙間を管理することによって、貫通部２の耐震性及び安全性を向上することができる。
【００４６】
図４（ｂ）に示した第二変形例は、配管３が二本の場合を示している。配管３が二本の場合は、配管３は必ず貫通部２内に一列に配置されることとなる。この場合、分割片は、配管３の一方の側面（例えば、図の下側）から配置される第一分割片８４と、配管３の他方の側面（例えば、図の上側）から配置される第二分割片８５と、により構成される。
【００４７】
第一分割片８４は、略半円形状の外形を有し、一方の配管３との干渉を回避するための係合溝８４ａと、他方の配管３との干渉を回避するための係合溝８４ｃと、連結部材７との干渉を回避するための切欠部８４ｂと、を備えている。
【００４８】
すなわち、第一分割片８４は、図４（ａ）に示した第一変形例に係合溝８４ｃを追加した構成を有している。その他の構成については、第一変形例と同じであるため、ここでは詳細な説明を省略する。
【００４９】
図４（ｃ）に示した第三変形例は、配管３が五本の場合を示している。ここでは、十字形状の各端部及び中心部に配管３が配置されている場合を図示してある。説明の便宜上、外周に配置された四本の配管３を、第一配管３ａ、第二配管３ｂ、第三配管３ｃ、第四配管３ｄとし、中心に配置された配管３を第五配管３ｅとする。
【００５０】
このとき、第一配管３ａ及び第二配管３ｂによって第一列３１が形成され、第三配管３ｃ及び第四配管３ｄによって第二列３２が形成され、第一列３１と第二列３２との間に第五配管３ｅが配置されている。したがって、第三変形例は、図２に示した実施形態と同様に配管３が二列に配置されており、第一列３１と第二列３２との間に配置された中間配管（第五配管３ｅ）を有する構成となっている。また、かかる第三変形例は、配管３が三列に配置されていると換言することもできる。
【００５１】
第三変形例に係る分割片は、配管の第一列３１の外側（例えば、図の右側）から配置される第一分割片８６と、配管３の第二列３２の外側（例えば、図の左側）から配置される第二分割片８７と、第一列３１と第二列３２との間に一方の側（例えば、図の上側）から挿入される第三分割片８８と、配管３の第一列３１と第二列３２との間に他方の側（例えば、図の下側）から挿入される第四分割片８９と、により構成される。
【００５２】
第一分割片８６は、略Ｌ字形状の外形を有し、その両端は円弧形状に形成されている。また、第一分割片８６は、第二配管３ｂとの干渉を回避するための係合溝８６ａと、連結部材７との干渉を回避するための切欠部８６ｂと、を備えている。
【００５３】
第二分割片８７は、第一分割片８６と線対称の形状を有している。具体的には、第二分割片８７は、略Ｌ字形状の外形を有し、その両端は円弧形状に形成されている。また、第二分割片８７は、第四配管３ｄとの干渉を回避するための係合溝８７ａと、連結部材７との干渉を回避するための切欠部８７ｂと、を備えている。
【００５４】
第三分割片８８は、略Ｔ字形状の外形を有し、その上端は円弧形状に形成されている。また、第三分割片８８は、第一配管３ａとの干渉を回避するための係合溝８８ａと、第三配管３ｃとの干渉を回避するための係合溝８８ｂと、第一列３１と第二列３２との間に配置された連結部材７との干渉を回避するための係合溝８８ｃと、ボルト等の締結具を挿通するための切欠部８８ｄと、を備えている。
【００５５】
第四分割片８９は、略Ｉ字形状の外形を有し、その下端は円弧形状に形成されている。また、第四分割片８９は、第五配管３ｅとの干渉を回避するための係合溝８９ａを備えている。第四分割片８９は、第三分割片８８の一部を、中間配管（第五配管３ｅ）を挟んで更に二分割したものと言い換えることもできる。
【００５６】
上述した第一分割片８６〜第四分割片８９によれば、第二配管３ｂを第一分割片８６の係合溝８６ａに挿入し、第四配管３ｄを第二分割片８７の係合溝８７ａに挿入し、第一配管３ａ及び第三配管３ｃを第三分割片８８の係合溝８８ａ，８８ｂに挿入し、第五配管３ｅを第四分割片８９の係合溝８９ａに挿入することによって、第一分割片８６の係合溝８６ａは第四分割片８９によって封止され、第二分割片８７の係合溝８７ａは第四分割片８９によって封止され、第三分割片８８の係合溝８８ａは第一分割片８６によって封止され、第三分割片８８の係合溝８８ｂは第二分割片８７によって封止され、第四分割片８９の係合溝８９ａは第三分割片８８によって封止される。
【００５７】
したがって、第一分割片８６〜第四分割片８９は、図４（ｃ）に示したように、組み合わせたときに配管３（第一配管３ａ〜第五配管３ｅ）の外周を覆うように構成されている。また、第一分割片８６〜第五分割片８９を組み合わせて形成される中間支持部材８は、略円形状の外形を有する板部材であり、貫通部２の内面と所定の隙間を有する外径を備えている。このように、中間支持部材８で配管３の外周を覆うとともに、貫通部２との隙間を管理することによって、貫通部２の耐震性及び安全性を向上することができる。
【００５８】
上述した実施形態及び変形例では、配管３が一本、二本、五本及び六本の場合について説明しているが、本発明は、同様の考え方により、配管３が三本、四本及び七本以上の場合にも適用することができる。
【００５９】
本発明は、上述した実施形態に限定されるものではなく、例えば、新設の配管支持装置にも適用することができる等、本発明の趣旨を逸脱しない範囲で種々変更が可能であることは勿論である。
【符号の説明】
【００６０】
１  配管支持装置
２  貫通部
３  配管
３ａ  第一配管
３ｂ  第二配管
３ｃ  第三配管
３ｄ  第四配管
３ｅ  第五配管
３ｆ  第六配管
４  端部支持部材
５  放射線遮蔽材
６  ストッパ
７  連結部材
８  中間支持部材
９  壁部材
２１  突出部
３１  第一列
３２  第二列
７１    カラー
８１  第一分割片
８１ａ，８１ｂ  係合溝
８１ｃ，８１ｄ  切欠部
８２  第二分割片
８２ａ，８２ｂ  係合溝
８２ｃ，８２ｄ  切欠部
８３  第三分割片
８３ａ，８３ｂ，８３ｃ  係合溝
８３ｄ，８３ｅ  切欠部
８４  第一分割片
８４ａ，８４ｃ  係合溝
８４ｂ  切欠部
８５  第二分割片
８５ａ  係合溝
８６  第一分割片
８６ａ  係合溝
８６ｂ  切欠部
８７  第二分割片
８７ａ  係合溝
８７ｂ  切欠部
８８  第三分割片
８８ａ，８８ｂ，８８ｃ  係合溝
８８ｄ  切欠部
８９  第四分割片
８９ａ  係合溝
【図１】
2020045959.tif 000003
【図２】
2020045959.tif 000004
【図３】
2020045959.tif 000005
【図４】
2020045959.tif 000006